(57)【要約】【課題】測定時に、被験者の手首の位置が心臓の高さに保持される手首式血圧計、を提供する。【解決手段】手首式血圧計は、被験者の手首に巻き回され、空気が供給される膨縮可能なカフ１５０と、膨縮機構部を駆動させて血圧値の測定を開始させるため、被験者により操作される測定開始操作部３１と、測定開始操作部３１が操作されている間、血圧値の測定を実行し、測定開始操作部３１の操作が中断されたときに血圧値の測定を停止するＣＰＵとを備える。【選択図】図５
2010051364.tif 000002
【特許請求の範囲】
【請求項１】
被験者の手首に装着され、被験者の心臓の高さに位置決めされた状態で血圧値を測定する手首式血圧計であって、
被験者の手首に巻き回され、流体が供給される膨縮可能なカフと、
前記カフを膨縮させる膨縮機構部と、
前記膨縮機構部を駆動させて血圧値の測定を開始させるため、被験者により操作される操作部と、
前記操作部が操作されている間、血圧値の測定を実行し、前記操作部の操作が中断されたときに血圧値の測定を停止する制御部とを備える、手首式血圧計。
【請求項２】
前記操作部は、操作時に押下される押ボタンである、請求項１に記載の手首式血圧計。
【請求項３】
前記カフに固定され、前記膨縮機構部および前記制御部を収容する本体ケースをさらに備え、
前記操作部は、前記本体ケースに設けられる、請求項１または２に記載の手首式血圧計。
【請求項４】
測定された血圧値を表示する表示部をさらに備え、
前記操作部が被験者の心臓の高さに位置決めされ、操作された状態で、前記表示部は被験者から視認可能な位置に配置される、請求項１から３のいずれか１項に記載の手首式血圧計。
【請求項５】
前記操作部は、前記カフに設けられる、請求項１から４のいずれか１項に記載の手首式血圧計。
【請求項６】
複数の前記操作部が、互いに間隔を隔てて配置され、
前記制御部は、複数の前記操作部が操作されている間、血圧値の測定を実行し、複数の前記操作部のうち少なくとも１つの操作が中断されたときに血圧値の測定を停止する、請求項１から５のいずれか１項に記載の手首式血圧計。
【請求項７】
磁石を有し、被験者の胸元に装着可能な位置合わせ部品をさらに備え、
前記操作部は、操作されている間に前記磁石の磁気を検出する磁気スイッチである、請求項１から６のいずれか１項に記載の手首式血圧計。
【請求項８】
前記カフに固定され、前記操作部が設けられる本体ケースをさらに備え、
前記位置合わせ部品は、前記本体ケースに対して着脱可能であり、
前記操作部は、前記位置合わせ部品が前記本体ケースに取り付けられた状態で、前記磁石の磁気を検出しない位置に設けられる、請求項７に記載の手首式血圧計。
【請求項９】
前記位置合わせ部品は、前記磁石を収容するケース体をさらに有する、請求項７または８に記載の手首式血圧計。
【請求項１０】
前記カフに固定され、前記操作部が設けられる本体ケースをさらに備え、
前記本体ケースは、血圧計が手首に装着された状態で手首の表面から離間する方向に突出する突出部を有し、
前記操作部は、前記突出部に配置される、請求項７から９のいずれか１項に記載の手首式血圧計。
【請求項１１】
前記位置合わせ部品は、被験者の胸元に装着された状態で、前記磁石を被験者の胸の表面から突出した位置に位置決めするベース部をさらに有する、請求項７から１０のいずれか１項に記載の手首式血圧計。
【発明の詳細な説明】
【技術分野】
【０００１】
この発明は、一般的には、手首式血圧計に関し、より特定的には、測定時に心臓の高さに位置決めされた状態を維持するための機構を備えた手首式血圧計に関する。
【背景技術】
【０００２】
従来の手首式血圧計に関して、たとえば、特開２００２−２２４０５５号公報（特許文献１）には、体動中の血圧を測定する場合であっても、体動によるノイズ、アチファクトの影響を受けることなく、血圧を精度よく測定することを目的とした電子血圧計が開示されている。特許文献１に開示された電子血圧計においては、カフに、体動検出用のセンサとして加速度センサもしくは光電センサが設けられ、これらのセンサによって、体動に起因したノイズを取り込む。光電脈波から体動に起因するノイズを除去し、ノイズ除去後の光電脈波を用いて血圧値を算出する。
【０００３】
また、特開平５−２００００４号公報（特許文献２）には、体動に伴う腕の小さな振動やゆっくりした腕の上下動が発生した場合にこれらを検知し、報知することを目的とした血圧計が開示されている。特許文献２に開示された血圧計においては、カフ帯に、体動を検知するための加速度センサと、加速度センサにより検知した体動を報知するための報知手段とが設けられる。
【０００４】
また、実用新案登録第３１２５５９５号公報（特許文献３）および特開２００７−３１３０１５号公報（特許文献４）には、簡単な構成を付加するだけで、カフを心臓の高さに容易に合わせることを可能とした手首血圧計が開示されている。特許文献３に開示された手首血圧計には、被験者の視線に対する角度によって見える絵柄の変化するレンチキュラーシートが設けられる。特許文献４に開示された手首血圧計には、傾斜を検出する方向に延在したレールと、そのレール上を転動するボールと、ボールを収容する窓部付きのケースとから構成される傾斜検出手段が設けられる。
【特許文献１】特開２００２−２２４０５５号公報
【特許文献２】特開平５−２００００４号公報
【特許文献３】実用新案登録第３１２５５９５号公報
【特許文献４】特開２００７−３１３０１５号公報
【発明の開示】
【発明が解決しようとする課題】
【０００５】
手首式血圧計を用いて正確な血圧の測定値を得るには、血圧計を装着した手首の位置を被験者の心臓と同じ高さに合わせて測定を行なう必要がある。血圧の測定中においても手首を心臓の高さに保持する必要があり、手首の位置が下方にずれた場合、本来の値よりも高い測定値が検出され、手首の位置が上方にずれた場合、本来の値よりも低い測定値が検出される。これに対して、上述の特許文献に開示される手首式血圧計では、測定中の体動を検出するための各種センサが設けられたり、姿勢が適正であるか否かを被験者に知らせるためのレンチキュラーシートや傾斜検出手段が設けられている。
【０００６】
しかしながら、これらの手首式血圧計においては、センサの追加が必要であり、血圧計の構造が複雑となる問題がある。また、被験者にとって、血圧計に設けられた姿勢を保つための機構の仕組みを理解することが難しく、容易に使いこなすことができない。また、血圧計の姿勢を通じて間接的に手首の位置を検出する構造では、たとえば、測定時の肘の位置の違いや、被験者の腕の長さの違いなどに起因し、必ずしも手首の位置が心臓の高さに一致しない。
【０００７】
そこでこの発明の目的は、上記の課題を解決することであり、測定時に、被験者の手首の位置が心臓の高さに保持される手首式血圧計を提供することである。
【課題を解決するための手段】
【０００８】
この発明に従った手首式血圧計は、被験者の手首に装着され、被験者の心臓の高さに位置決めされた状態で血圧値を測定する手首式血圧計である。手首式血圧計は、膨縮可能なカフと、操作部と、制御部とを備える。カフは、被験者の手首に巻き回され、流体が供給される。操作部は、膨縮機構部を駆動させて血圧値の測定を開始させるため、被験者により操作される。制御部は、操作部が操作されている間、血圧値の測定を実行し、操作部の操作が中断されたときに血圧値の測定を停止する。
【０００９】
このように構成された手首式血圧計によれば、被験者が、操作部を自らの胸元に近接させ、操作する姿勢をとることにより、血圧計を装着した手首が心臓の高さに位置決めされる。この際、操作部の操作が中断されると測定が停止されるため、被験者は、操作部を操作する姿勢を継続しようとする。このため、血圧値の測定時に、被験者の手首の位置を心臓の高さに保持することができる。
【００１０】
また好ましくは、操作部は、操作時に押下される押ボタンである。このように構成された手首式血圧計によれば、操作部は、押ボタンを押下するという被験者が自身の行為として容易に理解できる行為により操作される。このため、被験者は、血圧値の測定時に、操作部を自らの胸元に近接させ、操作する姿勢を容易にとり続けることができる。
【００１１】
また好ましくは、手首式血圧計は、カフに固定され、膨縮機構部および制御部を収容する本体ケースをさらに備える。操作部は、本体ケースに設けられる。このように構成された手首式血圧計によれば、操作部を膨縮機構部および制御部とともに本体ケースに設けることにより、血圧計を簡易な構成とできる。
【００１２】
また好ましくは、手首式血圧計は、測定された血圧値を表示する表示部をさらに備える。操作部が被験者の心臓の高さに位置決めされ、操作された状態で、表示部は被験者から視認可能な位置に配置される。このように構成された手首式血圧計によれば、被験者は、測定姿勢を維持したまま、表示部の表示内容を確認することができる。
【００１３】
また好ましくは、操作部は、カフに設けられる。このように構成された手首式血圧計によれば、手首の力がより直接的に操作部に伝わるため、操作部をより簡単に操作することができる。
【００１４】
また好ましくは、複数の操作部が、互いに間隔を隔てて配置される。制御部は、複数の操作部が操作されている間、血圧値の測定を実行し、複数の操作部のうち少なくとも１つの操作が中断されたときに血圧値の測定を停止する。このように構成された手首式血圧計によれば、被験者は、血圧値の測定を行なうために、複数の操作部を同時に操作する必要がある。このため、操作部を被験者の胸元に近接させ、操作するという測定方法を、被験者に対して喚起させることができる。
【００１５】
また好ましくは、手首式血圧計は、磁石を有し、被験者の胸元に装着可能な位置合わせ部品をさらに備える。操作部は、操作されている間に磁石の磁気を検出する磁気スイッチである。
【００１６】
このように構成された手首式血圧計によれば、被験者は、血圧値の測定を行なうために、自らの胸元に装着された位置合わせ部品に対して操作部を近接させる必要がある。このため、血圧値の測定時に、より確実に被験者の手首の位置と心臓の高さとを一致させることができる。
【００１７】
また好ましくは、手首式血圧計は、カフに固定され、操作部が設けられる本体ケースをさらに備える。位置合わせ部品は、本体ケースに対して着脱可能である。操作部は、位置合わせ部品が本体ケースに取り付けられた状態で、磁石の磁気を検出しない位置に設けられる。このように構成された手首式血圧計によれば、位置合わせ部品を本体ケースに対して着脱可能とすることにより、手首式血圧計の収納時の形態をコンパクトにできる。また、操作部は磁石の磁気を検出しない位置に設けられるため、非測定時の血圧計の誤動作を防止できる。
【００１８】
また好ましくは、位置合わせ部品は、磁石を収容するケース体をさらに有する。このように構成された手首式血圧計によれば、位置合わせ部品に対して操作部を近接させる際に、ケース体によって磁石を適切に保護することができる。
【００１９】
また好ましくは、手首式血圧計は、カフに固定され、操作部が設けられる本体ケースをさらに備える。本体ケースは、血圧計が手首に装着された状態で手首の表面から離間する方向に突出する突出部を有する。操作部は、突出部に配置される。このように構成された手首式血圧計によれば、操作部が位置合わせ部品に向けて突出した位置に配置されるため、位置合わせ部品に対する操作部の位置合わせを容易に行なうことができる。
【００２０】
また好ましくは、位置合わせ部品は、被験者の胸元に装着された状態で、磁石を被験者の胸の表面から突出した位置に位置決めするベース部をさらに有する。このように構成された手首式血圧計によれば、磁石が被験者から視認し易い位置に配置されるため、位置合わせ部品に対する操作部の位置合わせを容易に行なうことができる。
【発明の効果】
【００２１】
以上説明したように、この発明に従えば、測定時に、被験者の手首の位置が心臓の高さに保持される手首式血圧計を提供することができる。
【発明を実施するための最良の形態】
【００２２】
この発明の実施の形態について、図面を参照して説明する。なお、以下で参照する図面では、同一またはそれに相当する部材には、同じ番号が付されている。
【００２３】
（実施の形態１）
図１は、この発明の実施の形態１における手首式血圧計を示す斜視図である。図２は、図１中の２点鎖線ＩＩで囲まれた範囲を示す断面図である。
【００２４】
図１および図２を参照して、手首式血圧計１００は、装置本体１１０およびカフ１５０を有する。血圧測定時、手首式血圧計１００は、カフ１５０が被験者の手首に巻き回された状態で装着される。装置本体１１０は、直接、カフ１５０に固定されている。
【００２５】
装置本体１１０は、その外観をなし、筐体形状を有する本体ケース２１と、本体ケース２１の表面に設けられた表示部２６、入力部１９０および測定開始操作部３１とを有する。
【００２６】
表示部２６には、血圧値の測定結果や脈拍数の測定結果などが、数値やグラフなどを用いて表示される。表示部２６としては、たとえば液晶パネルが利用される。入力部１９０には、電源ボタンや、過去の測定記録を呼び出すための記録呼び出しボタンなどの各種ボタンが設けられている。測定開始操作部３１は、血圧測定を開始させるために操作される。本実施の形態では、測定開始操作部３１として、操作時に被験者によって押下される押ボタンが設けられている。押ボタンは、操作時に、押下されることによって所定の距離だけストロークする。
【００２７】
本体ケース２１は、主面２１ａを有する。主面２１ａは、本体ケース２１を挟んでカフ１５０の反対側に形成されている。すなわち、手首式血圧計１００を被験者の手首に装着した状態で、主面２１ａは、本体ケース２１を挟んで手首の裏側に配置される。測定開始操作部３１および表示部２６は、主面２１ａに設けられている。
【００２８】
カフ１５０は、手首に対する巻き付け方向を長手方向とする帯状の外形を有する。カフ１５０は、空気が供給される空気袋１５１と、空気袋１５１を手首に巻き付けて固定するための袋状カバー体１５２とを有する。空気袋１５１は、袋状カバー体１５２の内部に収容されている。空気袋１５１は、樹脂シートを用いて形成された袋状の部材からなる。空気袋１５１の内部には、膨縮空間１５６が形成されている。膨縮空間１５６の圧力が、カフ圧である。膨縮空間１５６は、後述する装置本体１１０の血圧測定用エア系コンポーネント１４１と、配管１３０を介して接続されている（図３参照のこと）。
【００２９】
カフ１５０は、空気袋１５１を内側に向けて付勢する可撓性湾曲板としてのカーラ１５３をさらに有する。カーラ１５３は、展開した状態において略矩形状の外形を有する。カーラ１５３は、被験者の手首にフィットするように円筒形状に形成されており、環状に巻き回されることによって径方向に弾性変形可能に構成された可撓性の部材からなる。カーラ１５３は、袋状カバー体１５２の内部で、被験者の手首に対して空気袋１５１の外側に重なって配置されている。カーラ１５３は、十分な弾性力を発現するように、たとえばポリプロピレン（ＰＰ）等の樹脂部材にて形成されている。
【００３０】
次に、手首式血圧計１００の主要な機能ブロックの構成について説明する。図３は、図１中の手首式血圧計の構成を示す機能ブロック図である。
【００３１】
図３を参照して、装置本体１１０には、カフ１５０に内包された空気袋１５１に配管１３０を通じて空気を供給または排出するための血圧測定用エア系コンポーネント１４１が設けられている。血圧測定用エア系コンポーネント１４１は、空気袋１５１内の圧力を検出する圧力検出手段である圧力センサ１４２と、空気袋１５１を膨縮させるための膨縮機構部４１であるポンプ１４３および弁１４５とから構成されている。装置本体１１０には、血圧測定用エア系コンポーネント１４１に関連して発振回路１４７、ポンプ駆動回路１４８および弁駆動回路１４９が設けられている。
【００３２】
装置本体１１０には、各部を集中的に制御および監視するためのＣＰＵ（Central Processing Unit）４６と、ＣＰＵ４６に所定の動作をさせるプログラムや測定された血圧値などの各種情報を記憶するためのメモリ部１７０と、血圧測定結果を含む各種情報を表示するための表示部２６と、測定のための各種指示を入力するために操作される入力部１９０と、ＣＰＵ４６および各機能ブロックに電力を供給するための電源部１８０と、血圧測定を開始させるために操作される測定開始操作部３１とが設けられている。
【００３３】
ＣＰＵ４６は、測定開始操作部３１が操作されている間、血圧値の測定を実行し、測定開始操作部３１の操作が中断されたときに血圧値の測定を停止する。ＣＰＵ４６は、血圧値を算出するための血圧値算出手段としても機能する。
【００３４】
圧力センサ１４２は、空気袋１５１のカフ圧を検出し、検出した圧力に応じた信号を発振回路１４７に出力する。ポンプ１４３は、配管１３０を通じて空気袋１５１に空気を供給する。弁１４５は、空気袋１５１内の圧力を維持したり、空気袋１５１内の空気を排出したりする際に開閉する。発振回路１４７は、圧力センサ１４２の出力値に応じた発振周波数の信号をＣＰＵ４６に出力する。ポンプ駆動回路１４８は、ポンプ１４３の駆動をＣＰＵ４６から与えられる制御信号に基づいて制御する。弁駆動回路１４９は、弁１４５の開閉制御をＣＰＵ４６から与えられる制御信号に基づいて行なう。
【００３５】
次に、手首式血圧計１００における血圧測定処理の流れについて説明する。図４は、図１中の血圧計の血圧測定処理の流れを示すフローチャートである。
【００３６】
図４中のフローチャートに従うプログラムは、図３において示したメモリ部１７０に予め記憶されており、ＣＰＵ４６がメモリ部１７０からこのプログラムを読出して実行することにより、血圧測定処理が実施される。
【００３７】
図３および図４を参照して、被験者が入力部１９０の電源ボタンを操作して電源をオンにすると手首式血圧計１００の初期化がなされる（ステップＳ１０１）。次に、測定開始操作部３１を操作することにより、血圧値の測定が開始される。より具体的には、ＣＰＵ４１がポンプ１４３の駆動を開始し、空気袋１５１のカフ圧を徐々に上昇させる（ステップＳ１０２）。
【００３８】
カフ圧が徐々に上昇する過程において、ＣＰＵ４１が発振回路１４７から得られる発振周波数に基づき脈波情報を抽出する。そして、抽出された脈波情報により収縮期血圧値（最高血圧値）および拡張期血圧値（最低血圧値）を算出する（ステップＳ１０３）。これにより、血圧値の測定が完了される。ＣＰＵ４１は、血圧値の測定過程において測定開始操作部３１の操作が中断されると、ポンプ１４３の駆動を停止し、手首式血圧計１００を初期状態に戻す。
【００３９】
ステップＳ１０３において血圧値が算出されると、ＣＰＵ４１は、算出された血圧値を表示部２６に表示する（ステップＳ１０４）。カフ圧が血圧測定のために必要な所定のレベルにまで達すると、ＣＰＵ４１はポンプ１４３を停止する。次いで、閉じていた弁１４５を開いて、空気袋１５１の空気を排気する（ステップＳ１０５）。その後、ＣＰＵ４１は、被験者の電源オフの指令を待ってその動作を終了する。
【００４０】
なお、以上において説明した測定方式は、空気袋１５１の加圧時に脈波を検出するいわゆる加圧測定方式に基づいたものであるが、空気袋１５１の減圧時に脈波を検出するいわゆる減圧測定方式を採用することも当然に可能である。
【００４１】
図５は、図１中の手首式血圧計の使用の形態を示す図である。図６は、血圧値の測定開始時の表示部を示す正面図である。
【００４２】
図５を参照して、手首式血圧計１００を用いて正確な血圧の測定値を得るには、血圧計を装着した手首の位置を被験者の心臓と同じ高さに合わせて測定を行なう必要がある。本実施の形態では、被験者は、手首式血圧計１００を装着した手首を心臓の高さまで持ち上げ、本体ケース２１の主面２１ａを胸に押し当てることによって、測定開始操作部３１の押ボタンを押下し、血圧測定を開始する。この際、図６中に示すように、表示部２６に上記測定方法に関する文言や図柄を表示させることにより、被験者に注意を促してもよい。測定開始操作部３１の操作が中断されると測定が停止するため、被験者は、測定が開始されたあと、測定開始操作部３１の押ボタンが押下されている状態を確認しながら測定開始時の姿勢を保とうとする。このため、血圧値の測定時において、被験者の体動を抑え、手首の位置を心臓の高さに保持することができる。
【００４３】
本実施の形態では、測定開始操作部３１の押ボタンを押下するという被験者自身が自らの行為として容易に理解できる行為によって血圧測定が続行されるため、高齢者などの被験者においても手首式血圧計１００を簡単に使いこなすことができる。また、胸に押し当てた被験者の手首の位置は、被験者の肘の位置や身体的な特徴による影響を受けないため、正確な血圧値を測定することができる。また、血圧測定時に被験者の姿勢を検知するためのセンサ類を新たに付加する必要がなく、血圧計を簡易な構成とできる。
【００４４】
この発明の実施の形態１における手首式血圧計１００は、被験者の手首に巻き回され、流体としての空気が供給される膨縮可能なカフ１５０と、膨縮機構部４１を駆動させて血圧値の測定を開始させるため、被験者により操作される操作部としての測定開始操作部３１と、測定開始操作部３１が操作されている間、血圧値の測定を実行し、測定開始操作部３１の操作が中断されたときに血圧値の測定を停止する制御部としてのＣＰＵ４６とを備える。
【００４５】
このように構成された、この発明の実施の形態１における手首式血圧計１００によれば、血圧測定時の被験者の姿勢を適切な状態に保つことにより、血圧値の測定精度を向上させることができる。
【００４６】
なお、本実施の形態では、測定開始操作部３１がメカ式スイッチである押ボタンから構成される場合を説明したが、本発明はこれに限定されない。メカ式スイッチに替えて、たとえば光電センサが用いられてもよい。また、測定開始操作部３１による被験者の姿勢保持の効果をより確実なものとするために、血圧測定時に被験者の姿勢を検知するための加速度センサ等のセンサ類が付加されてもよい。
【００４７】
（実施の形態２）
本実施の形態では、図１中の手首式血圧計１００の各種変形例について説明を行なう。以下、図１中の手首式血圧計１００と比較して重複する構造については、説明を繰り返さない。
【００４８】
図７は、図１中の手首式血圧計の第１変形例を示す正面図である。図７を参照して、本変形例では、入力部１９０が、電源ボタンを除いて、タッチパネルタイプの表示部２６に組み込まれている。測定開始操作部３１は、表示部２６に表示されるマークによって構成されており、このマークが押圧されることによって操作される。
【００４９】
測定方法について説明すると、まず、図４中のＳ１０１に示すステップにおいて電源をオンにすると、表示部２６に測定開始操作部３１のマークが現れる。被験者は、図４中のＳ１０２に示すステップにおいて、表示部２６に表示されたマークを胸に押し当てる。これにより、ＣＰＵ４６は、測定開始操作部３１の操作を認定し、血圧測定を開始させる。
【００５０】
なお、本実施の形態では、表示部２６に表示されるマークが、被験者にマークを胸に押し当てる行為を喚起させるためにハート形を有するが、このような形状に限られるものではない。
【００５１】
図８は、図１中の手首式血圧計の第２変形例を示す斜視図である。図９は、図８中の手首式血圧計の使用の形態を示す図である。
【００５２】
図８および図９を参照して、本体ケース２１は、側面２１ｃを有する。側面２１ｃは、主面２１ａと交差し、主面２１ａからカフ１５０に向かって延在する。本変形例では、測定開始操作部３１が側面２１ｃに設けられている。被験者に押ボタンを胸に押し当てる行為を喚起させるために、測定開始操作部３１は、ハート形の押ボタンから構成されている。
【００５３】
図４中のＳ１０２に示すステップにおいて、被験者は、測定開始操作部３１が設けられた側面２１ｃを被験者の胸と対向する側に向け、表示部２６が設けられた主面２１ａを上方に向けた状態で、測定開始操作部３１の押ボタンを胸に押し当てる。この場合、測定開始操作部３１の押ボタンを胸に押し当てた状態で、表示部２６は、被験者に視認可能に位置に配置される。このため、被験者は、測定姿勢を保ったまま表示部２６に表示された内容を確認することができる。
【００５４】
図１０は、図１中の手首式血圧計の第３変形例を示す側面図である。図１１は、図１０中の手首式血圧計の使用の形態を示す図である。
【００５５】
図１０および図１１を参照して、本変形例では、カフ１５０に測定開始操作部３１が設けられている。測定開始操作部３１は、図２中のカーラ１５３に支持され、袋状カバー体１５２から露出する形態で設けられている。被験者に押ボタンを胸に押し当てる行為を喚起させるために、測定開始操作部３１は、ハート形の押ボタンから構成されている。
【００５６】
本変形例では、測定開始操作部３１がカフ１５０が巻き回された手首の表面上に配置されるため、手首によって胸を押し付ける力が、より直接的に測定開始操作部３１に伝わる。このため、被験者は、血圧測定時、測定開始操作部３１の押ボタンを押下したまま手首を胸元に保持する姿勢を、より簡単に保つことができる。
【００５７】
図１２は、図１中の手首式血圧計の第４変形例を示す正面図である。図１２を参照して、本変形例では、手首式血圧計に複数の測定開始操作部３１Ａ，３１Ｂ，３１Ｃ，３１Ｄが設けられている。測定開始操作部３１Ａ〜３１Ｄは、互いに間隔を隔てて配置されている。測定開始操作部３１Ａ〜３１Ｄは、被験者が本体ケース２１を胸に押し当てた場合に同時に操作が可能な位置に配置されている。そのような位置の一例として、本変形例では、測定開始操作部３１Ａ〜３１Ｄが、略矩形形状を有する主面２１ａの四隅に配置されている。測定開始操作部３１Ａ〜３１Ｄは、表示部２６の周縁にその周方向に間隔を隔てて配置されている。
【００５８】
ＣＰＵ４６は、測定開始操作部３１Ａ〜３１Ｄが全て操作されている間、血圧値の測定を実行し、測定開始操作部３１Ａ〜３１Ｄのうち少なくとも１つの操作が中断されたときに血圧値の測定を停止する。
【００５９】
このような構成によれば、測定を開始し、継続させるためには測定開始操作部３１Ａ〜３１Ｄの全てを同時に操作する必要がある。このため、測定開始操作部３１Ａ〜３１Ｄを胸に押し当てて操作するという行為を、被験者に対して間接的に強制させることができる。
【００６０】
なお、測定開始操作部３１を設ける数は、図１２中に示すように４つに限られず、たとえば６つ以上であってもよい。また、複数の測定開始操作部３１を設ける位置は、胸に押し当てた場合に同時に操作可能な位置であれば、いずれの位置であってもよい。
【００６１】
このように構成された、この発明の実施の形態２における手首式血圧計によれば、実施の形態１に記載の効果を同様に得ることができる。
【００６２】
（実施の形態３）
図１３は、この発明の実施の形態３における手首式血圧計の使用の形態を示す側面図である。本実施の形態における手首式血圧計は、実施の形態１における手首式血圧計１００と基本的には同様の構造を有する。以下、重複する構造については、その説明を繰り返さない。
【００６３】
図１３を参照して、本実施の形態における手首式血圧計は、位置合わせ部品７０をさらに有する。位置合わせ部品７０は、磁石７１を有する。位置合わせ部品７０は、被験者の胸元に対して装着可能に設けられている。位置合わせ部品７０を被験者の胸元に装着する手段としては、たとえば、接着によって服に貼り付けたり、クリップによって服に固定したり、長さが調節可能なストラップ紐を用いて首から吊り下げたりする方法が挙げられる。
【００６４】
装置本体１１０には、図１中の測定開始操作部３１に替えて、測定開始操作部６１が設けられている。測定開始操作部６１は、磁気を検出する磁気スイッチから構成されている。このような磁気スイッチの方式としては、ホール素子方式、リードスイッチ方式、磁気抵抗素子方式に分類される。測定開始操作部６１は、測定開始操作部６１と位置合わせ部品７０とが近接した場合に磁石７１の磁気を検出することによって操作される。測定開始操作部６１は、本体ケース２１の内部に収容されている。
【００６５】
カフ１５０が巻き回される手首の内側には、特徴的な生体組織として、橈骨動脈５１および尺骨動脈５２が存在する。この橈骨動脈５１および尺骨動脈５２の間と、手首の中心とを通る仮想線を中心線５６と呼び、手首の中心を通り、中心線５６に直交する仮想線を中心線５７と呼ぶ。本実施の形態においては、測定開始操作部６１が中心線５６と重なる位置に配置されている。
【００６６】
位置合わせ部品７０は、本体ケース２１に対して着脱可能に設けられている。一例として、本体ケース２１に位置合わせ部品７０を配置可能な凹部６６が設けられており、測定終了後、被験者は、位置合わせ部品７０を凹部６６に収納する。測定が行なわれていない時の血圧計の誤作動を防ぐため、測定開始操作部３１は、凹部６６に位置合わせ部品７０が収納された状態で磁石７１の磁気を検出しない位置に設けられている。このような手段としては、測定開始操作部３１と凹部６６との間の距離を十分に確保する方法や、測定開始操作部３１と凹部６６との間に磁気の進行を遮断する部材を設けたりする方法が挙げられる。
【００６７】
測定方法について説明すると、被験者は、まず、血圧計の測定を開始する前に、位置合わせ部品７０を心臓の高さに一致する自分の胸元の位置に装着する。次に、図４中のＳ１０２に示す工程において、手首式血圧計を装着した手首を持ち上げ、測定開始操作部６１を位置合わせ部品７０に近接させることによって、測定開始操作部３１を操作し、血圧測定を開始する。測定開始後、測定開始操作部３１が位置合わせ部品７０の位置からずれると、測定開始操作部３１の操作が中断され、測定が停止する。
【００６８】
本実施の形態では、手首を保持する位置の指標として位置合わせ部品７０が設けられる。このため、被験者は、手首位置を位置合わせ部品７０に合わせることを容易に理解し、適切な姿勢を保持したまま測定を行なうことができる。また、測定開始操作部３１は中心線５６と重なって配置されるため、カフ１５０を手首に装着したときに測定開始操作部３１と手首の中心位置とが一致する。このため、測定開始操作部３１を位置合わせ部品７０に対して位置合わせすることにより、適正な手首位置で測定を行なうことができる。
【００６９】
図１４は、図１３中の手首式血圧計の第１変形例を示す側面図である。図１４を参照して、本変形例では、測定開始操作部６１が、中心線５７と重なる位置に配置されている。このような構成によっても、測定開始操作部３１を位置合わせ部品７０に対して位置合わせすることにより、適正な手首位置で測定を行なうことができる。
【００７０】
なお、血圧計の構造上の理由から、測定開始操作部６１を手首の中心位置に配置できない場合も想定される。このような場合、ＣＰＵ４６が、測定開始操作部６１と手首の中心位置とのずれを考慮して血圧値の補正し、その補正値を表示部２６に表示させる構成としてもよい。
【００７１】
図１５は、図１３中の手首式血圧計の第２変形例を示す側面図である。図１６は、図１５中の手首式血圧計に用いられる位置合わせ部品を示す断面図である。
【００７２】
図１５および図１６を参照して、本変形例では、本体ケース２１が突出部６３を有する。突出部６３は、血圧計を装着した手首の表面から離間する方向に突出して設けられている。突出部６３は、手首を持ち上げて測定開始操作部６１と位置合わせ部品７０とを対向させたときに、カフ１５０から位置あわせ部品７０に向けて突出するように設けられている。測定開始操作部６１は、突出部６３に設けられている。
【００７３】
位置合わせ部品７０は、磁石７１を内蔵するケース体７２を有する。図１６（Ａ）に示す例では、磁石７１がケース体７２によって完全に覆われており、図１６（Ｂ）に示す例では、ケース体７２に開口部７４が形成されており、その開口部７４を通じて磁石７１が露出する形態で設けられている。いずれの形態であっても、位置合わせ部品７０に対して測定開始操作部６１を位置合わせするときに、磁石７１が破損したり損傷したりすることを防止できる。
【００７４】
ケース体７２は、一方向に延伸する形状を有し、磁石７１はその一方端に配置されている。ケース体７２において磁石７１が設けられていない部分によって、ベース部７３が構成されている。ベース部７３は、位置合わせ部品７０が被験者の胸元に装着された状態で、磁石７１を被験者の胸の表面から突出した位置に位置決めする。
【００７５】
本変形例では、測定開始操作部６１を突出部６３に設けることによって、血圧測定時に測定開始操作部６１をより簡単に位置合わせ部品７０に対して位置合わせすることができる。また、位置合わせ部品７０に対して測定開始操作部６１を位置合わせする際、被験者は、自分の胸元を確認しづらく、特に被験者が眼鏡をかけている場合、胸元は眼鏡を通じて見える範囲から外れるという問題がある。これに対して、本変形例では、位置合わせ部品７０にベース部７３を設けることによって、磁石７１を胸元から飛び出した位置に位置決めし、視認容易な箇所で測定開始操作部６１を位置合わせすることができる。
【００７６】
このように構成された、この発明の実施の形態３における手首式血圧計によれば、実施の形態１に記載の効果と同様の効果を得ることができる。
【００７７】
なお、以上に説明した実施の形態１〜３に記載の手首式血圧計の構造を適宜組み合わせて、新たな手首式血圧計を構成してもよい。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】この発明の実施の形態１における手首式血圧計を示す斜視図である。
【図２】図１中の２点鎖線ＩＩで囲まれた範囲を示す断面図である。
【図３】図１中の手首式血圧計の構成を示す機能ブロック図である。
【図４】図１中の血圧計の血圧測定処理の流れを示すフローチャートである。
【図５】図１中の手首式血圧計の使用の形態を示す図である。
【図６】血圧値の測定開始時の表示部を示す正面図である。
【図７】図１中の手首式血圧計の第１変形例を示す正面図である。
【図８】図１中の手首式血圧計の第２変形例を示す斜視図である。
【図９】図８中の手首式血圧計の使用の形態を示す図である。
【図１０】図１中の手首式血圧計の第３変形例を示す側面図である。
【図１１】図１０中の手首式血圧計の使用の形態を示す図である。
【図１２】図１中の手首式血圧計の第４変形例を示す正面図である。
【図１３】この発明の実施の形態３における手首式血圧計の使用の形態を示す側面図である。
【図１４】図１３中の手首式血圧計の第１変形例を示す側面図である。
【図１５】図１３中の手首式血圧計の第２変形例を示す側面図である。
【図１６】図１５中の手首式血圧計に用いられる位置合わせ部品を示す断面図である。
【符号の説明】
【００８０】
２１  本体ケース、２６  表示部、３１，３１Ａ〜３１Ｄ，６１  測定開始操作部、４１  膨縮機構部、４６  ＣＰＵ、６３  突出部、７０  位置合わせ部品、７１  磁石、７２  ケース体、７３  ベース部、１００  手首式血圧計、１１０  装置本体、１５０  カフ。
【図１】
2010051364.tif 000003
【図２】
2010051364.tif 000004
【図３】
2010051364.tif 000005
【図４】
2010051364.tif 000006
【図５】
2010051364.tif 000007
【図６】
2010051364.tif 000008
【図７】
2010051364.tif 000009
【図８】
2010051364.tif 000010
【図９】
2010051364.tif 000011
【図１０】
2010051364.tif 000012
【図１１】
2010051364.tif 000013
【図１２】
2010051364.tif 000014
【図１３】
2010051364.tif 000015
【図１４】
2010051364.tif 000016
【図１５】
2010051364.tif 000017
【図１６】
2010051364.tif 000018